(57)【要約】【課題】減衰器の必要数が多くコスト高で、設定、保守、管理も面倒であった。【解決手段】センター側入出力端子と、端末側入出力端子と、下り信号を増幅する下り増幅部と、上り信号を増幅する上り増幅部と、センター側入出力端子から入力された下り信号を下り増幅部に出力し、上り増幅部から出力された上り信号を同センター側入出力端子に出力するセンター側分波フィルタと、端末側入出力端子から入力された上り信号を上り増幅部に出力し、下り増幅部から出力された下り信号を同端末側入出力端子に出力する端末側分波フィルタとを備えたＣＡＴＶ用双方向増幅器において、センター側入出力端子とセンター側分波フィルタとの間、又は端末側入出力端子と端末側分波フィルタとの間に、下り信号及び上り信号の双方を減衰可能な減衰域を有する減衰器を配置した。【選択図】　　図１
2004032179.tif 000002
【特許請求の範囲】
【請求項１】
センター側入出力端子と、端末側入出力端子と、下り信号を増幅する下り増幅部と、上り信号を増幅する上り増幅部と、センター側入出力端子から入力された下り信号を下り増幅部に出力し、上り増幅部から出力された上り信号を同センター側入出力端子に出力するセンター側分波フィルタと、端末側入出力端子から入力された上り信号を上り増幅部に出力し、下り増幅部から出力された下り信号を同端末側入出力端子に出力する端末側分波フィルタとを備えたＣＡＴＶ用双方向増幅器において、センター側入出力端子とセンター側分波フィルタとの間に、下り信号及び上り信号の双方を減衰可能な減衰域を有する減衰器が配置されたことを特徴とするＣＡＴＶ用双方向増幅器。
【請求項２】
センター側入出力端子と、端末側入出力端子と、下り信号を増幅する下り増幅部と、上り信号を増幅する上り増幅部と、センター側入出力端子から入力された下り信号を下り増幅部に出力し、上り増幅部から出力された上り信号を同センター側入出力端子に出力するセンター側分波フィルタと、端末側入出力端子から入力された上り信号を上り増幅部に出力し、下り増幅部から出力された下り信号を同端末側入出力端子に出力する端末側分波フィルタとを備えたＣＡＴＶ用双方向増幅器において、端末側入出力端子と端末側分波フィルタとの間に、下り信号及び上り信号の双方を減衰可能な減衰域を有する減衰器が配置されたことを特徴とするＣＡＴＶ用双方向増幅器。
【発明の詳細な説明】
【０００１】
【発明の属する技術分野】
本発明は、ＣＡＴＶ用双方向増幅器に関するものである。
【０００２】
【従来の技術】
ＣＡＴＶ用双方向増幅器には、入出力される上り信号及び下り信号のレベルを調整するための減衰器が必要である。しかし、従来の減衰器は、上り用と下り用に分かれており、上り帯域及び下りの帯域の双方をカバーする減衰域を備えた減衰器は存在しない。そこで図２に示すように、従来の双方向増幅器では、下り回線Ａに一組の下り用減衰器Ｂ、Ｃが挿入され、上り回線Ｄに一組の上り用減衰器Ｅ、Ｆが挿入されている（合計４つの減衰器が挿入されている）。これら減衰器Ａ〜Ｆを挿入する際は、まず下り回線Ａに下り用減衰器Ｂ、Ｃを挿入して下り方向のレベル調整を行い、その後、上り回線Ｄに上り用減衰器Ｅ、Ｆを挿入して上り方向のレベル調整を行う。実際に挿入する下り用減衰器Ｂ、Ｃ又は上り用減衰器Ｅ、Ｆの選択にあたっては、複数の減衰器を入れ替えながら、下り信号又は上り信号のレベルをモニタし、規定レベルの出力が得られる減衰器を選択する。
【０００３】
【発明が解決しようとする課題】
従来のＣＡＴＶ用双方向増幅器には次のような課題があった。
（１）上り用減衰器及び下り用減衰器が必要であるため、部品点数が多くコスト高になる。また、多数の部品を管理するのも手間であった。
（２）上り方向と下り方向を個別にレベル調整しなくてはならないので、調整に時間や手間がかかる。
【０００４】
【課題を解決するための手段】
本発明の目的は、部品点数が少なく、上り方向又は下り方向の一方のレベル調整によって他方のレベル調整も完了するＣＡＴＶ用双方向増幅器を提供することにある。
【０００５】
本発明のＣＡＴＶ用双方向増幅器の一つは、センター側入出力端子と、端末側入出力端子と、下り信号を増幅する下り増幅部と、上り信号を増幅する上り増幅部と、センター側入出力端子から入力された下り信号を下り増幅部に出力し、上り増幅部から出力された上り信号を同センター側入出力端子に出力するセンター側分波フィルタと、端末側入出力端子から入力された上り信号を上り増幅部に出力し、下り増幅部から出力された下り信号を同端末側入出力端子に出力する端末側分波フィルタとを備えたＣＡＴＶ用双方向増幅器において、センター側入出力端子とセンター側分波フィルタとの間に、下り信号及び上り信号の双方を減衰可能な減衰域を有する減衰器が配置したものである。
【０００６】
本発明のＣＡＴＶ用双方向増幅器の他の一つは、センター側入出力端子と、端末側入出力端子と、下り信号を増幅する下り増幅部と、上り信号を増幅する上り増幅部と、センター側入出力端子から入力された下り信号を下り増幅部に出力し、上り増幅部から出力された上り信号を同センター側入出力端子に出力するセンター側分波フィルタと、端末側入出力端子から入力された上り信号を上り増幅部に出力し、下り増幅部から出力された下り信号を同端末側入出力端子に出力する端末側分波フィルタとを備えたＣＡＴＶ用双方向増幅器において、端末側入出力端子と端末側分波フィルタとの間に、下り信号及び上り信号の双方を減衰可能な減衰域を有する減衰器が配置したものである。
【０００７】
【発明の実施の形態】
（実施形態１）
本発明のＣＡＴＶ用増幅器の一実施例を図１に基づいて説明する。図１に示す双方向増幅器は、センター側入出力端子１（以下「センター側端子１」）と、端末側入出力端子２（以下「端末側端子２」）とを備えた筐体３内に必要機器を収容してなる。具体的には、一組の減衰器４、５、センター側分波フィルタ６、下り増幅部７、上り増幅部８、端末側分波フィルタ９を収容してなる。
【０００８】
前記減衰器４、５は該双方向増幅器とその前後のケーブルとを等化させる機能を果たすものであり、該双方向増幅器に入出力される下り信号及び上り信号の双方が規定レベルとなるようにこれら信号を減衰させる。即ち、各減衰器４、５は、上り帯域及び下り帯域の双方をカバー可能な減衰域を有する。具体的には、各減衰器４、５は、入力された信号をフラットに減衰させるアッテネーター（ａｔｔｅｎｕａｔｏｒ）と、高帯域の信号ほど大きく減衰させるボン（Ｂｕｉｌｄｉｎｇ　Ｏｕｔ　Ｎｅｔｗｏｒｋ）と、低帯域の信号ほど大きく減衰させるイコライザー（ｅｑｕａｌｉｚｅｒ）とを備えることによって前記機能を果たす。ここで、減衰器４、５は、複数の減衰器のうちから、下り信号が規定入力レベルとなる減衰器を選択したものであり、実際に複数の減衰器を入れ替えながら下り信号のレベルをモニタして選択してある。
【０００９】
前記センター側分波フィルタ６は、減衰器４、５によって減衰された下り信号を下り増幅器７に出力する。また、上り増幅器８によって増幅された上り信号を減衰器５に出力する。
【００１０】
前記下り増幅部７は、入力された下り信号を所定レベルに増幅して端末側分波フィルタ９に出力する。前記上り増幅部８は、入力された上り信号を所定レベルに増幅してセンター側分波フィルタ６に出力する。
【００１１】
前記端末側フィルタ９は、下り増幅部７で増幅された下り信号を端末側端子２に出力し、同端子２に入力された上り信号を上り増幅部８に出力する。
【００１２】
図１に示すＣＡＶＴ用双方向増幅器が接続されたＣＡＴＶ伝送網では、センター局から送出された下り信号がケーブルを介して該双方向増幅器のセンター側端子１に入力される。入力された下り信号は、減衰器４、５によって規定レベルに減衰される（規定入力レベルに減衰される）。減衰された下り信号は、センター側分波フィルタ６を通って下り増幅部７に入力され、該増幅部７で所定レベルに増幅され、端末側分波フィルタ９を通って端末側端子２に出力される。一方、端末から送出された上り信号はケーブルを介して端末側端子２に入力され、端末側分波フィルタ９を通って上り増幅部８に入力される。上り増幅部８に入力された上り信号は、該増幅部８で所定レベルに増幅され、センター側分波フィルタ６を通って減衰器４、５に入力され、該減衰器４、５によって規定レベルに減衰され、センター側端子１に出力される（規定出力レベルで出力される）。
【００１３】
尚、前記減衰器を端末側端子２と端末側分波フィルタ９との間に配置することもできる。
【００１４】
【発明の効果】
（１）本発明のＣＡＴＶ用双方向増幅器は、下り信号及び上り信号を減衰可能な減衰域を有する減衰器を備えている。従って、上り用及び下り用の減衰器を個別に備えた従来の増幅器に比べて部品点数が減り、低コスト化が図られる。また、部品点数が少ないので保守管理に要する時間や手間も低減される。
（２）また、上り方向又は下り方向のレベル調整をすれば、他方のレベル調整も同時に完了するので、レベル調整に要する時間や手間も低減され、短時間での敷設が可能となり、エンドユーザーにより早くサービスを提供できる。
【図面の簡単な説明】
【図１】本発明のＣＡＴＶ用双方向増幅器の一実施例を示す説明図。
【図２】従来のＣＡＴＶ用双方向増幅器の一例を示す説明図。
【符号の説明】
１　センター側入出力端子（センター側端子）
２　端末側入出力端子（端末側端子）
３　筐体
４　減衰器
５　減衰器
６　センター側分波フィルタ
７　下り増幅部
８　上り増幅部
９　端末側分波フィルタ
【図１】
2004032179.tif 000003
【図２】
2004032179.tif 000004